(57)【要約】【課題】虫の捕獲率を高める。【解決手段】発光面２０ａ及び該発光面２０ａの背面である非発光面２０ｂを有する一以上の発光部２０と、発光部２０を保持する空洞状で、側壁１１の少なくとも一部を、虫が通過可能な通気領域１２とする筐体部１０とを備える虫捕集装置であって、各発光部２０を、筐体部１０の空洞内において、発光面２０ａを側壁１１に向けて配置すると共に、発光面２０ａと、該発光面２０ａが対向する側壁１１との第一距離が、非発光面２０ｂと、該非発光面２０ｂが対向する側壁１１との第二距離よりも長くなる姿勢に配置する。これにより、発光部２０から離れた空間を側壁１１の内部とすることができ、捕獲率を高めることができる。特に、発光部２０と、これによって誘引される虫との距離を従来よりも長めに設定したことで、従来では筐体の外部となって捕集できなかった部位に飛翔した虫をも捕集することが可能となる。【選択図】図３
2019162051.tif 000002
【特許請求の範囲】
【請求項１】
発光面及び該発光面の背面である非発光面を有する一以上の発光部と、
前記発光部を保持する空洞状で、側壁の少なくとも一部を、虫が通過可能な通気領域とする筐体部と
を備える虫捕集装置であって、
各発光部を、前記筐体部の空洞内において、前記発光面を前記側壁に向けて配置すると共に、
前記発光面と、該発光面が対向する前記側壁との第一距離が、
前記非発光面と、該非発光面が対向する前記側壁との第二距離よりも長くなる姿勢に配置してなる虫捕集装置。
【請求項２】
請求項１に記載の虫捕集装置であって、
前記発光部が複数設けられており、
前記筐体部が一方向に延長された外形で、該延長方向と直交する面において、各発光部の発光面が前記側壁の異なる部位に向けて配置されており、
各発光面がそれぞれ側壁と対向する直線が、互いに交差するような姿勢で、各発光部が配置されてなる虫捕集装置。
【請求項３】
請求項２に記載の虫捕集装置であって、
前記発光部が、第一発光部と、第二発光部と、第三発光部を備えており、
前記筐体部の延長方向と直交する面において、
前記第一発光部の発光面が前記側壁と対向する第一直線と、
前記第二発光部の発光面が前記側壁と対向する第二直線と、
前記第三発光部の発光面が前記側壁と対向する第三直線とが、
互いに１２０°の角度で交差するように、前記第一発光部と第二発光部と第三発光部とが配置されてなる虫捕集装置。
【請求項４】
請求項２又は３に記載の虫捕集装置であって、
前記発光部が、前記筐体部の延長方向に沿って複数の発光素子を配置してなる虫捕集装置。
【請求項５】
請求項１〜４のいずれか一に記載の虫捕集装置であって、
前記筐体部が一方向に延長された外形で、
一方の端部に、送風部を備えており、
他方の端部に、捕集部を備えており、
前記筐体部の空洞内に誘引された虫を、前記送風部でもって捕集部に押し流すよう構成されてなる虫捕集装置。
【請求項６】
請求項５に記載の虫捕集装置であって、
前記捕集部が、虫を捕集する空間であり、
前記捕集部に虫が捕集された状態で、前記筐体部の空洞と区切る仕切り板を備えてなる虫捕集装置。
【請求項７】
請求項６に記載の虫捕集装置であって、
前記捕集部の端面に、第二通気領域を配置しており、
前記第二通気領域の粗さが、所定の虫が通過できず、これよりも小さい虫を通過できる大きさに構成してなる虫捕集装置。
【請求項８】
請求項６に記載の虫捕集装置であって、
前記捕集部が、害虫を駆除する空間であり、液体を溜める貯水部を有してなる虫捕集装置。
【請求項９】
請求項５〜８のいずれか一に記載の虫捕集装置であって、
前記送風部が、前記筐体部内に誘導された虫を該筐体部内の一方向に強制的に前記捕集部に送るための送風ファンを備える虫捕集装置。
【請求項１０】
請求項１〜９のいずれか一に記載の虫捕集装置であって、
捕集する虫が益虫である虫捕集装置。
【請求項１１】
請求項１〜１０のいずれか一に記載の虫捕集装置であって、さらに、
前記一以上の発光部を駆動する駆動部を備える虫捕集装置。
【請求項１２】
請求項１〜１１のいずれか一に記載の虫捕集装置であって、
前記発光部が、発光ダイオードである虫捕集装置。
【請求項１３】
請求項１〜１２のいずれか一に記載の虫捕集装置であって、
前記発光部が、青色発光ダイオード又は紫色発光ダイオードである虫捕集装置。
【請求項１４】
請求項１〜１３のいずれか一に記載の虫捕集装置であって、さらに、
前記筐体部内に誘導された虫を、さらに該筐体部内の一方向に誘導するための誘導用発光部を備える虫捕集装置。
【請求項１５】
虫の捕集方法であって、
発光面及び該発光面の背面である非発光面を有する一以上の発光部を、それぞれ、側壁の少なくとも一部を虫が通過可能な通気領域とする筐体部の空洞内において、前記発光面を側壁に向けて配置すると共に、前記発光面と該発光面が対向する前記側壁との第一距離が、前記非発光面と該非発光面が対向する前記側壁との第二距離よりも長くなる姿勢に配置した状態で、前記一以上の発光部を発光させる工程と、
虫を前記筐体部の空洞内に誘引する工程と
を含む虫捕集方法。
【発明の詳細な説明】
【技術分野】
【０００１】
本発明は、益虫や病害虫等の虫を捕集するための装置及び方法に関する。
【背景技術】
【０００２】
従来、農作物の育成に際して、病害虫を除去するために化学薬品である農薬（化学農薬）が散布されてきた。一方で化学農薬の散布に代えて、病害虫に対し天敵昆虫（益虫）を生物農薬として投入し、病害虫を駆除する方法も利用されている。この方法であれば、化学農薬を用いる方法に比べ、残留農薬の問題がなく、安全性が高いとされている（例えば特許文献１参照）。
【０００３】
虫捕集の方法として、害虫の誘引効果のある光を発することで害虫の走光性を利用してこれを駆除する害虫駆除装置が開発されている（特許文献２）。この害虫駆除装置は、図２５に示すように、第１の光源２１４と第２の光源２１６を用いて害虫Ｇを第２の光源２１６の方向に誘導し、誘導方向に配置した電極２２０、２２２間の放電によって害虫Ｇを殺傷する。第１の光源２１４および第２の光源２１６には紫外線ＬＥＤを使用し、それぞれ基板２１２の表側と裏側に実装する。通電コントローラ２３０は第１の光源２１４、第２の光源２１６と電極２２０、２２２への通電を制御し、害虫Ｇを誘導したときに放電を行うことで効率的な害虫駆除を実現する。
【０００４】
しかしながら、このような害虫駆除装置では、害虫を一旦装置内に誘導した上で殺傷するところ、実際には光源を発光させても、装置の近傍に誘導することはできても、装置の内部まで誘引することまでは確実性が得られないことが判明した。すなわち、幾ら装置の外周に光源を多数設けても、装置内に害虫を誘引できない限りはこれを駆除することはできず、従来の構成では害虫を装置内に誘引するところまでは確実性が低いという問題があった。
【先行技術文献】
【特許文献】
【０００５】
【特許文献１】国際特許ＷＯ２０１７／０２２３３３号公報
【特許文献２】特開２０１４−０５０３１９号公報
【発明の概要】
【発明が解決しようとする課題】
【０００６】
本発明は、従来のこのような背景に鑑みてなされたものであり、その目的の一は、装置内に虫を誘引する効果を高めることで虫の捕集の確実性を高めた虫捕集装置及び虫捕集方法を提供することにある。
【課題を解決するための手段】
【０００７】
上記目的を達成するため、本発明の第１の側面に係る虫捕集装置によれば、発光面及び該発光面の背面である非発光面を有する一以上の発光部と、前記発光部を保持する空洞状で、側壁の少なくとも一部を、虫が通過可能な通気領域とする筐体部とを備える虫捕集装置であって、各発光部を、前記筐体部の空洞内において、前記発光面を前記側壁に向けて配置すると共に、前記発光面と、該発光面が対向する前記側壁との第一距離が、前記非発光面と、該非発光面が対向する前記側壁との第二距離よりも長くなる姿勢に配置することができる。上記構成により、発光部から離れた空間を側壁の内部とすることができ、捕獲率を高めることができる。特に、発光部と、これによって誘引される虫との距離を従来よりも長めに設定したことで、従来では筐体の外部となって捕集できなかった部位に飛翔した虫をも捕集することが可能となる。
【０００８】
また、本発明の第２の側面に係る虫捕集装置によれば、上記構成に加えて、前記発光部が複数設けられており、前記筐体部が一方向に延長された外形で、該延長方向と直交する面において、各発光部の発光面が前記側壁の異なる部位に向けて配置されており、各発光面がそれぞれ側壁と対向する直線が、互いに交差するような姿勢で、各発光部を配置することができる。
【０００９】
さらに、本発明の第３の側面に係る虫捕集装置によれば、上記何れかの構成に加えて、前記発光部が、第一発光部と、第二発光部と、第三発光部を備えており、前記筐体部の延長方向と直交する面において、前記第一発光部の発光面が前記側壁と対向する第一直線と、前記第二発光部の発光面が前記側壁と対向する第二直線と、前記第三発光部の発光面が前記側壁と対向する第三直線とが、互いに１２０°の角度で交差するように、前記第一発光部と第二発光部と第三発光部とを配置することができる。
【００１０】
さらにまた、本発明の第４の側面に係る虫捕集装置によれば、上記何れかの構成に加えて、前記発光部に、前記筐体部の延長方向に沿って複数の発光素子を配置することができる。
【００１１】
さらにまた、本発明の第５の側面に係る虫捕集装置によれば、上記何れかの構成に加えて、前記筐体部が一方向に延長された外形で、一方の端部に、送風部を備えており、他方の端部に、捕集部を備えており、前記筐体部の空洞内に誘引された虫を、前記送風部でもって捕集部に押し流すよう構成することができる。
【００１２】
さらにまた、本発明の第６の側面に係る虫捕集装置によれば、上記何れかの構成に加えて、前記捕集部が、虫を捕集する空間であり、前記捕集部に虫が捕集された状態で、前記筐体部の空洞と区切る仕切り板を備えることができる。
【００１３】
さらにまた、本発明の第７の側面に係る虫捕集装置によれば、上記何れかの構成に加えて、前記捕集部の端面に、第二通気領域を配置しており、前記第二通気領域の粗さを、所定の虫が通過できず、これよりも小さい虫を通過できる大きさに構成することができる。
【００１４】
さらにまた、本発明の第８の側面に係る虫捕集装置によれば、上記何れかの構成に加えて、前記捕集部が、害虫を駆除する空間であり、液体を溜める貯水部を有することができる。
【００１５】
さらにまた、本発明の第９の側面に係る虫捕集装置によれば、上記何れかの構成に加えて、前記送風部が、前記筐体部内に誘導された虫を該筐体部内の一方向に強制的に前記捕集部に送るための送風ファンを備えることができる。上記構成により、筐体部内に案内された虫を強制的に捕集部に送出できる。またまた送風でもって発光部を冷却して発熱を抑制する効果も得られる。
【００１６】
さらにまた、本発明の第１０の側面に係る虫捕集装置によれば、上記何れかの構成に加えて、捕集する虫を益虫とすることができる。
【００１７】
さらにまた、本発明の第１１の側面に係る虫捕集装置によれば、上記何れかの構成に加えて、さらに前記一以上の発光部を駆動する駆動部を備えることができる。
【００１８】
さらにまた、本発明の第１２の側面に係る虫捕集装置によれば、上記何れかの構成に加えて、前記発光部を、発光ダイオードとすることができる。
【００１９】
さらにまた、本発明の第１３の側面に係る虫捕集装置によれば、上記何れかの構成に加えて、前記発光部を、青色発光ダイオード又は紫色発光ダイオードとすることができる。
【００２０】
さらにまた、本発明の第１４の側面に係る虫捕集装置によれば、上記何れかの構成に加えて、さらに、前記筐体部内に誘導された虫を、さらに該筐体部内の一方向に誘導するための誘導用発光部を備えることができる。
【００２１】
さらにまた、本発明の第１５の側面に係る虫捕集方法によれば、発光面及び該発光面の背面である非発光面を有する一以上の発光部を、それぞれ、側壁の少なくとも一部を虫が通過可能な通気領域とする筐体部の空洞内において、前記発光面を側壁に向けて配置すると共に、前記発光面と該発光面が対向する前記側壁との第一距離が、前記非発光面と該非発光面が対向する前記側壁との第二距離よりも長くなる姿勢に配置した状態で、前記一以上の発光部を発光させる工程と、虫を前記筐体部の空洞内に誘引する工程とを含むことができる。これにより、発光部から離れた空間を側壁の内部とすることができ、捕獲率を高めることができる。
【図面の簡単な説明】
【００２２】
【図１】実施形態１に係る虫捕集装置を示す外観斜視図である。
【図２】図１の虫捕集装置のＩＩ−ＩＩ線における垂直断面図である。
【図３】図２の虫捕集装置のＩＩＩ−ＩＩＩ線における水平断面図である。
【図４】図１の虫捕集装置の各発光部を示す透視斜視図である。
【図５】図２の虫捕集装置の捕集部を示す断面図である。
【図６】実施形態１に係る虫捕集装置を点灯させた状態を示す写真である。
【図７】実施形態２に係る虫捕集装置を示す水平断面図である。
【図８】実施形態３に係る虫捕集装置を示す水平断面図である。
【図９】実施形態４に係る虫捕集装置を示す水平断面図である。
【図１０】実施形態５に係る虫捕集装置を示す水平断面図である。
【図１１】タバコカスミカメの誘引試験に用いた捕集器を示す模式断面図である。
【図１２】雄のタバコカスミカメの、色毎の誘引率を示すグラフである。
【図１３】雌のタバコカスミカメの、色毎の誘引率を示すグラフである。
【図１４】雄のタバコカスミカメの、人口光下（１６Ｌ８Ｄ）における時間毎の活動量を示すグラフである。
【図１５】雌のタバコカスミカメの、人口光下（１６Ｌ８Ｄ）における時間毎の活動量を示すグラフである。
【図１６】雄のタバコカスミカメの、人口光下（１２Ｌ１２Ｄ）における時間毎の活動量を示すグラフである。
【図１７】雌のタバコカスミカメの、人口光下（１２Ｌ１２Ｄ）における時間毎の活動量を示すグラフである。
【図１８】雄のタバコカスミカメの、自然光下での時間帯毎の活動量分布を示すグラフである。
【図１９】雌のタバコカスミカメの、自然光下での時間帯毎の活動量分布を示すグラフである。
【図２０】雄のタバコカスミカメの、自然光下での活動量分布を示すグラフである。
【図２１】雌のタバコカスミカメの、自然光下での活動量分布を示すグラフである。
【図２２】図２０と図２１の時間毎の照度変化を示すグラフである。
【図２３】図２０と図２１の時間毎の温度変化を示すグラフである。
【図２４】変形例に係る虫捕集装置の下部を示す断面図である。
【図２５】従来の害虫駆除装置を示す断面図である。
【発明を実施するための形態】
【００２３】
以下、本発明の実施形態を図面に基づいて説明する。ただし、以下に示す実施形態は、本発明の技術思想を具体化するための例示であって、本発明は以下のものに特定されない。また、本明細書は特許請求の範囲に示される部材を、実施の形態の部材に特定するものでは決してない。特に実施形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施形態１）
【００２４】
本発明の実施形態１に係る虫捕集装置を、図１〜図４に示す。これらの図において、図１は実施形態１に係る虫捕集装置１００の外観斜視図、図２は図１のＩＩ−ＩＩ線における垂直断面図、図３は図２のＩＩＩ−ＩＩＩ線における水平断面図、図５は図２の虫捕集装置１００の捕集部１４を示す要部拡大断面図、図４は図１の虫捕集装置１００の各発光部２０を示す透視斜視図を、それぞれ示している。これらの図に示す虫捕集装置１００は、害虫の天敵となる益虫を捕集して、栽培地に移送して放出し、もって害虫を駆除するために好適に使用できる。あるいは、害虫を直接捕集する使用態様としてもよい。ここでは一例として、益虫であるタバコカスミカメの捕集に用いる虫捕集装置１００を説明するが、本発明は捕集の対象となる虫の種類をタバコカスミカメに限定せず、各種の害虫に対しても適用できる。
【００２５】
この虫捕集装置１００は、外観を構成する筐体部１０を箱状に形成し、その内部に発光部２０を設けている。筐体部１０の内部には、発光部２０と、送風部３０と、捕集部１４と、誘導用発光部５０と、分別フィルタ１８と、仕切り板４０とを備える。また発光部２０は、発光素子２４を駆動するための駆動部２５を備える。
（筐体部１０）
【００２６】
筐体部１０は、縦方向に延長された角柱状に形成されている。内部を中空の空洞状とし、側面を構成する側壁１１に通気領域１２を設けることで、内部に配置された発光部２０の光を外部に取り出し可能としている。このように側壁１１の一部を通気領域１２としたことで、内部からは光を放出でき、外部からの虫の移動も許容している。
【００２７】
図１、図２の例では、通気領域１２として筐体部１０の側面に開口窓を形成して、各開口窓にメッシュを設けている。このように側壁１１の一部にメッシュを設ける構成とする他、側壁の全面をメッシュ状としてもよい。またメッシュ状に限らず、例えばパンチ穴のような無数の貫通孔を開口させたり、あるいは格子状のパターンやスリット状とすることもできる。
【００２８】
また通気領域１２の開口は、捕集する虫を透過できるサイズに設計される。具体的には、捕集対象の虫に応じて設計され、例えばタバコカスミカメの場合は０．６ｍｍ〜４．０ｍｍ、アザミウマ類やコナジラミ類の場合は０．４ｍｍ〜４．０ｍｍ、ハモグリバエ類の場合は０．８ｍｍ〜４．０ｍｍ等に設定される。
【００２９】
筐体部１０は、十分な強度と耐久性を有する材質、例えばアルミニウム板などの金属製としている。ただ、樹脂製等、他の材質を用いてもよい。
（発光部２０）
【００３０】
発光部２０は、図１〜図３に示すように、筐体部１０の内部に配置される。ここでは、複数の発光素子２４を直線状に並べた棒状の発光部２０を、複数用いている。各発光部２０は、図３に示すように発光面２０ａと、この発光面２０ａの背面である非発光面２０ｂを有する。
【００３１】
さらに発光部２０は、図４に示すように、外観を棒状に構成すると共に、その内部に発光素子２４と、発光素子２４を駆動する駆動部２５と、電力を供給するための電源部２６を備えている。
【００３２】
発光部２０に用いる光源は、捕集対象の虫に対する誘引性を示す波長の光を発することができれば特に限定されないが、好適には発光ダイオード（ＬＥＤ）や半導体レーザ（ＬＤ）等の半導体発光素子が挙げられる。特にＬＥＤは小型軽量で球切れもなく、リニアリティにも優れ、発光素子２４として好ましい。また青色ＬＥＤや紫色〜紫外光ＬＥＤを用いることが好ましい。ＬＥＤの発光波長としては、３７０ｎｍ〜５３０ｎｍ等が利用できる。ここでは波長４０５ｎｍの青色ＬＥＤを利用した。また青色ＬＥＤに、蛍光体等の波長変換部材を組み合わせて発光波長や発光色を調整してもよい。さらに発光部２０として、複数種類のＬＥＤを組み合わせてもよい。さらにまたＬＥＤに限らず、他の光源、例えば有機ＥＬやＣＣＦＬなどの蛍光灯、白熱電球等を利用することもできるし、これらを組み合わせてもよい。
【００３３】
駆動部２５は、電源部２６からの電力を変圧したり電流量を調整するための駆動回路を備えている。また必要に応じて、発光部２０の点灯時間を規定する自動消灯回路を付加してもよい。例えば点灯ＯＮ後の所定時間後に消灯させたり、毎日決まった時間に点灯して決まった時間に消灯するタイマー、あるいは周囲の光度を検出して、日中や夜間に点灯させる等、既知の方法やそのための回路が適宜利用できる。
【００３４】
電源部２６は、充電式の電池、例えばリチウムイオン二次電池やニッケル水素電池等が利用できる。あるいは商用電源を用いる場合には、商用電源の電圧を直流に変換するなどの適切な電源変換回路とすることもできる。また電源部２６は、発光部２０の点灯駆動や、後述する送風ファンの回転駆動等を共通化したり、駆動制御を集中して管理することもできる。
（送風部３０）
【００３５】
また虫捕集装置１００は、筐体部１０内の延長方向の一端側に送風部３０を、他端部に捕集部１４を設けている。このような構成でもって、筐体部１０の空洞内に誘引された虫を、送風部３０で捕集部１４に向けて押し流すことが可能となる。
（送風ファン）
【００３６】
図１等の例では、送風部３０の一形態として、筐体部１０の上部に送風ファンを設けている。送風ファンは、筐体部１０内に誘導された虫を、この筐体部１０内の一方向に強制的に送るための部材である。送風ファンのサイズや回転数は、捕集する虫の種類や設置される環境等に応じて選択される。ここでは、φ１２０ｍｍで風量８０ＣＦＭの大型のファンを用いた。
（空気取り入れ口１３）
【００３７】
また筐体部１０の上部には、送風ファンで押し出す空気を外部から取り入れるための空気取り入れ口１３が開口されている。空気取り入れ口１３にも、必要に応じてメッシュ等、異物の侵入を防ぐ侵入阻害機構を設けている。侵入阻害機構は、通気領域１２と同じサイズとしてもよいが、好ましくは通気領域１２よりも狭い、虫を通過できないサイズとする。これにより、送風ファンに虫が巻き込まれて異物が付着するなどの事態を回避できる。この例では、大型の昆虫の侵入を防止するよう、侵入阻害機構に７ｍｍサイズのメッシュを用いている。
（空気排出口１６）
【００３８】
さらに筐体部１０の下面側には、送風ファンで送出される空気を筐体部１０から排出するための空気排出口１６が形成されている。この空気排出口１６に、捕集対象の虫が通過できないサイズの第二通気領域１７を配置して、虫の逃亡を阻止する。この第二通気領域１７は、捕集部１４の底面側に形成されており、その粗さのサイズは捕集対象の虫が通過できず、これよりも小さい虫を通過できる大きさとする。いいかえると、捕集対象の虫よりもサイズの小さい虫については、第二通気領域１７を通過できるので、空気排出口１６から外部に排出することができる。
（整流部３２）
【００３９】
さらに筐体部１０の内部において、送風ファンの送出側には、送風を案内するための整流部３２が設けられる。整流部３２は、筒状の形状として無用な空気の拡散を防止すると共に、筐体部１０内に捕集した虫が送風に逆行することを阻止する。また送風を、発光部２０や駆動部２５の冷却用の冷却風としても利用できる。特に光源としてＬＥＤを用いたり、駆動回路にトランジスタを用いる場合は、このような半導体素子に送風することで、これらが発する熱を冷却風で熱交換させて空冷することにより、半導体素子の安定的な動作を図ることができる。
（逆止部３４）
【００４０】
また筐体部１０の内部には、筐体内部に捕集された虫が、整流部３２で送風される空気の流れと逆方向に進行することを抑止する逆止部３４を設けることが好ましい。逆止部３４は、送風の風上側に開口を広く、風下側に海溝を狭くした傾斜面で構成する。これにより、空気の流れを整流すると共に、虫の逆行を阻止して、効果的に捕集部１４に虫を案内することが可能となる。
（捕集部１４）
【００４１】
一方、捕集部１４は筐体部１０内部の底面側に設けられる。捕集部１４は、虫を捕集する空間である。また筐体部１０は、捕集部１４に益虫を捕集した状態で、筐体部１０の空間を仕切るための仕切り板４０を備えることができる。この例では、仕切り板４０を筐体部１０に挿入した状態で、仕切り板４０で区画された仕切り板４０よりも下の空間を捕集部１４としている。
（仕切り板４０）
【００４２】
仕切り板４０は、図１、図２等に示すように、筐体部１０の延長方向と交差する面状に形成される。この仕切り板４０は、図５に示すように、筐体部１０の側面から内部に差し入れ可能としている。筐体部１０の側面の中間部分には、仕切り板４０を挿入するためのスリット状の開口が形成されている。このようにして、虫の捕集時には仕切り板４０をセットせずに虫を筐体内に案内し、ある程度の虫が捕集された時点で仕切り板４０を挿入して、虫が筐体部１０内部で上方に移動することを阻止する。このような仕切り板４０には、樹脂製や金属製の板材が好適に使用できる。また仕切り板４０の大きさは、筐体部１０にセットした状態で筐体部１０の内部で隙間が生じない大きさに設計される。
（誘導用発光部５０）
【００４３】
さらに虫捕集装置１００は、筐体部１０内に案内された虫を捕集部１４側に集めるために、誘導用発光部５０を設けることもできる。誘導用発光部５０は、図２、図５に示すように、筐体部１０の底面側に設けられて、虫を誘引する波長の光を上方に向けて放出する。これにより、虫を捕集部１４側に集め易くできる。誘導用発光部５０には、発光部２０の光源と同じ半導体発光素子が利用できる。発光部２０と同じ波長の光を発することで、発光部２０で誘引した虫と同じ種類の虫をそのまま誘導することが可能となる。また誘導用発光部５０の駆動回路を、発光部２０の駆動回路と個別に設ける他、共通化してもよい。
（分別フィルタ１８）
【００４４】
さらに筐体部１０内には、捕集部１４に捕集した虫を大きさで分別するための分別フィルタ１８を設けることもできる。分別フィルタ１８でもって捕集部１４を更に区画して分別領域１５を形成している。分別フィルタ１８は、捕集したい虫が通過できないサイズに設計されたメッシュや格子、スリット等が利用できる。分別フィルタ１８のサイズは、第二通気領域１７のサイズと同じとすることが好ましい。図５の例では、分別フィルタ１８は捕集部１４の底面近傍で、誘導用発光部５０の手前側に設けられる。このような配置によって、送風ファンや誘導用発光部５０などで上方から下方に案内した虫の内、捕集対象の虫よりも小さい虫は、図５において細矢印で示すように分別フィルタ１８を通過でき、さらに空気排出口１６を通って虫捕集装置１００の外部に排出される。一方で捕集対象の虫は、太矢印で示すように分別フィルタ１８を通過できずに捕集部１４に止めることができる。このようにして、捕集した内で不要な虫は適宜排出して、必要な虫のみを捕集する分別が可能となる。あるいは、害虫を捕獲する場合等には、誘導用発光部５０の下方で第二通気領域１７の出口側にメッシュ状の袋などを連通して、捕集することもできる。これによって、捕集した虫を虫捕集装置の外部に取り出すことが容易となる。
【００４５】
なお上記の例では分別フィルタ１８を一のみ設けているが、本発明は分別フィルタの数を一に限定せず、複数設けてもよい。この場合は、目の大きさの異なる複数の分別フィルタを用意する。そして、捕集部１４側から分別領域１５側に向かって、目の大きさが段々小さくなるように構成することが好ましい。なお、各分別フィルタに係る目の大きさは特に限定されないが、例えば一段目の分別フィルタの目の大きさを０．６ｍｍとしたとき、二段目の分別フィルタの大きさを０．４ｍｍ、三段目の分別フィルタの目の大きさを０．２ｍｍ、のように設定することができる。
（殺傷機能）
【００４６】
なお、捕集する虫や、分別フィルタ１８を透過させた虫が害虫の場合、これを駆除する機能を虫捕集装置１００に付加させてもよい。例えば捕集部に貯水部を設けて、捕集部に至った虫を含浸させる構成としたり、あるいは捕集部に殺虫剤を塗布したり、粘着テープを配置して吸着させたりするなどの構成が適宜利用できる。
【００４７】
さらに、虫捕集装置で捕集した複数種類の虫の内から、益虫と害虫とを分別し易くするための機構を付加してもよい。例えば、虫の逆行を阻害する返し部を付加する。このような例を変形例として図２４に示す。この図に示す虫捕集装置６００は、筐体部１０内の捕集部１４と分別フィルタ１８との間には、返し部１９を設けている。返し部１９は筐体部１０内の壁面に、捕集部１４側から分別領域１５側に向かって斜めに傾斜した状態で配設されている。従って、一旦、捕集部１４側から分別領域１５側へ返し部１９を超えて移動した益虫Ｘや他の虫Ｚは、この返し部１９によって再び捕集部１４側へ逆行することが非常に困難となる。なお、この例では返し部１９を一段のみ設けているが、筐体部の長手方向に沿って返し部を多段に設けてもよい。
【００４８】
また誘導用発光部５０を、発光部２０の光源と同じ波長とせず、分別したい益虫Ｘに対する誘引性を示す波長の光を発する光源としてもよい。
【００４９】
例えば、アザミウマ類（害虫Ｙ）に対する益虫Ｘとして、タイリクヒメハナカメムシを、害虫Ｙや他の虫Ｚから分別して採集する場合に、変形例に係る虫捕集装置６００を適用することで、これらを分別できる。この方法を説明すると、まず、予め採取したクローバーの花等をビニール袋に入れ、益虫Ｘであるタイリクヒメハナカメムシを、アザミウマ類（害虫Ｙ）や他の虫（Ｚ）と共に叩き出しておく。その後、ビニール袋から花等を取り出し、益虫Ｘを含む昆虫類を変形例に係る虫捕集装置６００に係る捕集部１４から筐体部１０内へ投入する。
【００５０】
そして、筐体部１０内において、捕集部１４と反対側の位置に設けられた誘導用発光部５０を点灯し、タイリクヒメハナカメムシ（益虫Ｘ）に対する誘引性を示す波長の光を照射する。ここで、タイリクヒメハナカメムシ（益虫Ｘ）に対する誘引性を示すピーク波長は、４５０ｎｍ〜５５０ｎｍとすることが好ましい。
【００５１】
誘導用発光部５０を点灯することによって、タイリクヒメハナカメムシ（益虫Ｘ）は誘導用発光部５０から発せられる光によって誘引され、誘導用発光部５０側に移動していく。このとき、タイリクヒメハナカメムシ以外に、害虫Ｙであるアザミウマ類や他の虫Ｚも誘導用発光部５０からの光によって誘引され、分別領域１５側へ移動していく。
【００５２】
そして、分別領域１５側へ移動してきたタイリクヒメハナカメムシなどは、筐体部１０内の捕集部１４と分別領域１５との間に設けられた分別フィルタ１８によって分別されることとなる。筐体部１０内は、分別フィルタ１８によって捕集部１４と、分別領域１５とに区画されている。この分別フィルタ１８には、益虫Ｘ又は害虫Ｙを含む他の虫Ｚのいずれか一方を通過させ、他方を通過させない大きさの目が形成されているため、分別フィルタ１８によって、採集したい益虫Ｘを、捕集部１４と分別領域１５のいずれかに集めて分別採集することができる。
【００５３】
例えば分別フィルタ１８の目の大きさを０．４ｍｍ以下とすることによって、分別フィルタ１８を通過できないタイリクヒメハナカメムシ（益虫Ｘ）は捕集部１４に集められ、アザミウマ類（害虫Ｙ）などは分別フィルタ１８を通過して分別領域１５に集められることとなる。つまり、分別フィルタ１８によって、益虫Ｘと害虫Ｙなどを分別することができ、捕集部１４に集められたタイリクヒメハナカメムシを、ピーマンなどの栽培施設内へ生物農薬として投入することができる。
【００５４】
なお、変形例に係る虫捕集装置６００に係る筐体部１０内には返し部１９が配設されている。従って、分別フィルタ１８によって害虫Ｙなどから分別されたタイリクヒメハナカメムシ（益虫Ｘ）が再び捕集部１４側へ移動しようとしても、この返し部１９によってその移動を抑制されるため、採集効率の向上を図ることができる。
【００５５】
以上の構成を含んでなる虫捕集装置によると、誘導用発光部５０が発する光によって益虫Ｘを含む虫（害虫Ｙや他の虫Ｚ）を分別領域１５側へ誘引する一方、分別フィルタ１８によって体長に応じて益虫Ｘと害虫Ｙなどとを分別することができ、益虫Ｘを害虫Ｙや他の虫Ｚから低コストで簡便に分別して採集することが可能となる。
【００５６】
特に、農生態系に自生するクローバー等の花には土着天敵のタイリクヒメハナカメムシ（益虫Ｘ）と微小害虫のアザミウマ類（害虫Ｙ）が発生する。虫捕集装置を利用することで、クローバー等から採集した昆虫類の中からタイリクヒメハナカメムシ（益虫Ｘ）のみを分別、採集することができる。従って、それをナスやピーマン等の栽培施設内に投入することによって、低コストで害虫Ｙのアザミウマ類の密度抑制に利用することができる。
（発光部２０の数）
【００５７】
発光部２０は、複数設けることができる。この場合は、筐体部１０の延長方向と直交する面において、各発光部２０を、その発光面２０ａが側壁１１の異なる部位に向けて配置する。このとき、各発光面２０ａが側壁１１と対向する直線が、互いに交差するような姿勢となるように、複数の発光部２０を配置する。
【００５８】
一例として図３に示す発光部２０は、第一発光部２１と、第二発光部２２と、第三発光部２３を備えている。これら第一発光部２１と第二発光部２２と第三発光部２３は、筐体部１０の延長方向と直交する面において、第一発光部２１の発光面２０ａが側壁１１と対向する第一直線Ｌ１と、第二発光部２２の発光面２０ａが側壁１１と対向する第二直線Ｌ２と、第三発光部２３の発光面２０ａが側壁１１と対向する第三直線Ｌ３とが、互いに１２０°の角度で交差することが好ましい。このように配置することで、虫捕集装置１００の周囲に沿って等間隔で誘引光を放出でき、虫捕集装置１００の周囲で均等に捕集効果を発揮させることができる。
【００５９】
また、この構成に限らず、発光部を２つ設けてもよい。あるいは図７に示すように発光部を１つのみ設けてもよい。ただし、この場合は虫捕集装置の特定の面からしか虫の誘引効果を発揮できないため、複数設けることが好ましく、より好ましくは図３に示すように発光部２０を、側壁１１の周囲に沿って異なる方向に誘引光を放出できるよう、３個以上設ける。
（発光部２０の配置）
【００６０】
ここで発光部２０の配置パターンについて、詳細に検討する。虫の捕集効率を向上させるため、本実施形態においては図３に示すように、発光部２０を、光の放出方向に対して後退させた位置に配置している。
【００６１】
従来の虫捕集装置では、図２５等に示すように発光部を筐体部の外部に向けて照射するように配置していた。いいかえると、筐体部の内部に向かって光を照射するような配置とはしていなかった。
【００６２】
これに対して本実施形態に係る虫捕集装置１００では、このような配置とは逆に筐体部１０の内部を照らすように発光部２０を配置している。この結果、発光部２０の点灯時は図６の写真に示すように、筐体部１０の内部が発光するような状態となって、虫の誘引効果が高められる。一般に照明光は、照明装置そのものでなく、その周囲のものを照らすように発光させているところ、本実施形態では逆に、筐体部１０の内面を照らすように発光部２０を配置した結果、虫の誘引効果が大幅に向上できることを見出した。その理由は、虫を誘引するエッジ効果によるものと推察される。すなわち、虫は光源に向かって飛翔するのでなく、明るいところと暗いところの境界に向かって飛翔するという性質を有する（エッジ効果等と呼ばれる。）。このため、虫捕集装置から光を外部に照射しても、虫捕集装置自体が光源となって、虫捕集装置に向かうのでなく、虫捕集装置の近傍の、明るいところ暗いところの境界に虫が集まりやすくなる。いわば、光源でなく光源から離れた位置に虫が集まりやすくなる傾向にあった。いいかえると、虫捕集装置を配置しても、虫捕集装置の近傍で虫が飛翔しており、虫捕集装置内には入っていかない状況であった。
【００６３】
本発明者らはこの点に着目して、光源から離れた位置を飛翔する虫を捕集する方法を模索して、本願発明を成すに至ったものである。光源と虫との距離が離れた状態でも虫を捕集できるようにするには、虫捕集装置の筐体を大きくして、光源との距離が離れた部位を筐体で囲むように構成することが考えられる。しかしながら、このためには筐体の直径を大きくする必要があり、筐体の大型化が避けられない。そこで、筐体の大きさを変更することなく、光源と虫との距離を離間させるため、光源側を筐体内において虫から離すように配置した。いわば、光源を筐体内で光の進行方向に対して後退させるように配置したものである。
【００６４】
一般の虫捕集装置では、光を筐体から効率良く放出させるように、光源を筐体の表面近傍に配置するところ、本実施形態においては、図３に示すように、発光部２０の発光面２０ａを、筐体部１０の側壁１１から離すように配置している。逆にいえば、発光部２０の背面側である非発光面２０ｂが、筐体部１０の側壁１１に近付くように配置しているということもできる。あるいは、通常であれば光源の発光面２０ａを外部に向けて配置するところ、本実施形態では敢えて非発光面２０ｂを向けるように配置していると捉えることもできる。
【００６５】
具体的には、発光部２０を、筐体部１０内において発光面２０ａを側壁１１に向けて配置する際、発光面２０ａから側壁１１までの距離（図３に示す第一距離Ｄ１）が、非発光面２０ｂから側壁１１までの距離（第二距離Ｄ２）よりも長くなる位置に、発光部２０配置している。このようにすることで、発光部２０が発する光が、筐体部１０の内部をある程度進んだ上で側壁１１を通じて外部に放出される結果、発光部２０から離間された空間を筐体内に位置させることが可能となる。
【００６６】
このような配置によって、虫が光源の位置ではなく光源から離れた位置に集まろうとする性質を利用し、そのような虫の集まりやすい位置を筐体部の内部に含めることで、捕集効果を高めることに成功した。いいかえると、虫の集まりやすい位置を筐体部１０の内部に置くように、発光部２０の配置位置を工夫した。具体的には、敢えて発光面２０ａを筐体部１０の側壁１１から離して配置することで、発光部２０からの光は直ちには筐体部１０の外部に放出されず、一旦、筐体部１０内に照射されて、ある程度の距離（ストローク）を進んだ後、筐体部１０の外部に放出させている。これによって、エッジ効果が発現する前段階で虫を捕集することができ、捕集量を格段に向上させることに成功した。
（実施形態２）
【００６７】
以上の実施形態１では、発光部２０を３つ設ける例を説明したが、本発明は発光部を設ける数をこれに限定せず、２以下、あるいは４以上とすることもできる。例えば実施形態２として図７に示す虫捕集装置２００では、発光部２０を１つ設けている。このような構成でも、図において上面側から発光部２０の誘引光を放出して、虫の誘引効果を発揮できる。また、構成も安価で足りる。例えば、虫捕集装置の特定の面のみで虫の誘引効果を発揮させたいような場面で有効となる。また、発光部の使用数が少ない分、安価で製造でき、消費電力等のランニングコストも抑制できる。
（実施形態３）
【００６８】
また以上説明した実施形態では、筐体部１０を角柱状に形成した例を説明した。ただ本発明は、筐体部の外形を実施形態１の態様に限定するものでなく、三角柱状や五角柱以上の多角形状、あるいは円柱状など、他の形状を適宜採用することができる。特に実施形態３として図８に示す虫捕集装置３００では、筐体部１０Ｃの外形を円柱状としている。この構成であれば、側壁１１Ｃを矩形状の平面状とせず、全体を連続した曲面状として、虫の誘引の効率よく行える利点が得られる。すなわち図３に示した構成では、図において下面では発光部２０からの誘引光が外部に放出されないため、この面からの虫の誘引効果が低いと思われるところ、図８の断面図に示すように曲面状としたことで、図において左右の斜め下方に向けて誘引光が放出される領域からの延長領域として、虫の誘引効果を発揮させやすくなって、効率の向上が期待できる。
（実施形態４）
【００６９】
あるいは、虫の誘引効果を発揮させる面を広く形成することもできる。例えば実施形態４として、図９の水平断面図に示す虫捕集装置では、三角柱状に形成している。この構成によれば、実施形態１と同様、１２０°間隔で配置された３つの発光部２０の各発光面２０ａと対向する側壁１１Ｄの面を、実施形態１の正方形状と比べて、より広く確保することができ、この結果、虫の誘引効果をより広い面積で発揮させて捕集量の向上が期待できる。
（実施形態５）
【００７０】
あるいは、筐体部を角柱状に形成しつつも、断面視において隅部を面取りさせてもよい。例えば実施形態５として図１０の水平断面図に示す虫捕集装置５００では、実施形態４と同様に筐体部１０Ｅを三角柱状に形成しつつ、側壁１１Ｅ同士の接合する隅部を面取りしている。この構成であれば、筐体部１０Ｅのエッジの尖鋭感を弱めて、作業者に触れても安全で、設置や運搬に際しても取り扱いし易い形状とできる。
（タバコカスミカメの誘引実験）
【００７１】
次に、発光部２０が発する光の波長について検討する。発光部２０は、捕集したい虫の誘引に適した波長の光を選択することが必要である。そこで本発明者らは、益虫であるタバコカスミカメの誘引に適した波長の光について検討した。ここでは図１１に示すような虫捕集装置６００を用いて、筒状の筐体部１０Ｆの一端（図において左側）に発光部２０Ｆを配置し、さらにメッシュＭＳと複数の逆止部Ｒ１、Ｒ２、Ｒ３を配置した。この状態で筐体部１０Ｆの他端（図において右側）からタバコカスミカメを投入し、光源の近傍に配置した０．２ｍｍのメッシュＭＳと、逆止部Ｒ１で区画される空間内に捕集されたタバコカスミカメの数を、発光波長毎に調べた。さらに光源として用いたＬＥＤの発光強度は、１×１０15photons・ｍ-2・ｓ-1とした。なお、１回の実験にタバコカスミカメを２４〜５５頭使用し、５往復させた。
【００７２】
この結果を、雄のタバコカスミカメ成虫について図１２のグラフに、雌のタバコカスミカメ成虫について図１３のグラフに、それぞれ示す。これらの図に示すように、雄、雌ともタバコカスミカメは青色光に相当する波長４７０ｎｍ近傍で最も誘引効果が高く、次いで紫色光に相当する波長４０５ｎｍ近傍で良好な結果を示すことが確認された。以上から、発光部２０の発光波長としては、青色光を発する発光体を用いることが好ましいといえる。
【００７３】
なお以上の実験は、タバコカスミカメの活動時間に照らして、１７〜１９時に実施した。ここで、タバコカスミカメの活動量を確認する試験を行った結果を、図１４〜図２３に示す。これらの図において、図１４は雄のタバコカスミカメ成虫の活動量分布を、室内の照明光でもって明るい時間を１６時間、暗い時間を８時間として調べた結果を、図１５は雌のタバコカスミカメ成虫について同様の実験を行った結果を、それぞれ示している。また図１６、図１７はそれぞれ、雄のタバコカスミカメの成虫について、室内光の明るい時間を１２時間、暗い時間を１２時間として調べた結果を、それぞれ示している。加えて、野外の自然光に対しても同様の試験を行った結果を図１８〜図２２に示す。これらの図において、図１８は、雄のタバコカスミカメ成虫について、日照時間の長い初夏の２０１６年５月１３日〜２５日の間の活動量分布、図１９は同様に雌のタバコカスミカメ成虫について実験結果を、それぞれ示している。また図２０、図２２はそれぞれ、雄のタバコカスミカメ成虫について、日照時間の短い初冬の２０１６年１２月１７日〜２７日の間の活動量分布、図２１、図２３は同様に雌のタバコカスミカメ成虫について実験結果を、それぞれ示している。これらから明らかな通り、タバコカスミカメ成虫は雄、雌とも概ね、日没の１７〜１９時頃に活動量がピークを迎えることが判り、上記試験の実施時間の条件の妥当性が確認された。
【産業上の利用可能性】
【００７４】
本発明の虫捕集装置及び虫捕集方法は、タバコカスミカメ、タイリクヒメハナカメムシ、ナミヒメハナカメムシ、コミドリチビトビカスミカメ、ヒラタアブ類等のような益虫の捕集に好適となる他、ミナミアオカメムシ、チャバネアオカメムシ等のカメムシ類、フタマタナガマドキノコバエ等のハエ類等、多種の害虫の捕集にも好適に適用し利用できる。
【符号の説明】
【００７５】
１００、２００、３００、４００、５００…虫捕集装置
６００…捕集器
１０、１０Ｃ、１０Ｅ、１０Ｆ…筐体部
１１、１１Ｃ、１１Ｄ、１１Ｅ…側壁
１２…通気領域
１３…空気取り入れ口
１４…捕集部
１５…分別領域
１６…空気排出口
１７…第二通気領域
１８…分別フィルタ
１９…返し部
２０、２０Ｆ…発光部；２０ａ…発光面；２０ｂ…非発光面
２１…第一発光部
２２…第二発光部
２３…第二発光部
２４…発光素子
２５…駆動部
２６…電源部
３０…送風部
３２…整流部
３４…逆止部
４０…仕切り板
５０…誘導用発光部
２１２…基板
２１４…第１の光源
２１６…第２の光源
２２０、２２２…電極
２３０…通電コントローラ
Ｇ…害虫
Ｌ１…第一直線；Ｌ２…第二直線；Ｌ３…第三直線
Ｄ１…第一距離；Ｄ２…第二距離
ＭＳ…メッシュ
Ｒ１、Ｒ２、Ｒ３…逆止部
Ｘ…益虫；Ｙ…害虫；Ｚ…他の虫
【図１】
2019162051.tif 000003
【図２】
2019162051.tif 000004
【図３】
2019162051.tif 000005
【図４】
2019162051.tif 000006
【図５】
2019162051.tif 000007
【図６】
2019162051.tif 000008
【図７】
2019162051.tif 000009
【図８】
2019162051.tif 000010
【図９】
2019162051.tif 000011
【図１０】
2019162051.tif 000012
【図１１】
2019162051.tif 000013
【図１２】
2019162051.tif 000014
【図１３】
2019162051.tif 000015
【図１４】
2019162051.tif 000016
【図１５】
2019162051.tif 000017
【図１６】
2019162051.tif 000018
【図１７】
2019162051.tif 000019
【図１８】
2019162051.tif 000020
【図１９】
2019162051.tif 000021
【図２０】
2019162051.tif 000022
【図２１】
2019162051.tif 000023
【図２２】
2019162051.tif 000024
【図２３】
2019162051.tif 000025
【図２４】
2019162051.tif 000026
【図２５】
2019162051.tif 000027